(57)【要約】  円筒形の細長い光源（３）の外観を反射するリフレクタ（４）を有する照明器具であって、リフレクタ（４）の反射面（５）が、中央平面（７）の両側で対称に且つ光源（３）の軸線（６，２６）に平行に延び、細長い光源（３）の外観が、照明器具の前側で且つ反射面（５）を通して見える、照明器具。光源（３）の外観は、中央平面（７）の両側の２つの領域に３本の互いに平行な明るいストライプとして見える。
2010509724.tif 000002
【特許請求の範囲】
【請求項１】
円筒形の細長い光源の外観を反射するリフレクタを有する照明器具であって、前記リフレクタの反射面が、前記細長い光源の軸線を通る中央平面の両側で対称に延び、前記細長い光源の前記外観が、前記照明器具の前側で直接且つ前記反射面を通して見える、照明器具において、前記反射面の形状は、前記細長い光源の後ろに部分的に位置する実質的に円筒形の湾曲した凹状中央部分を有し、前記中央部分の各縁は、前記反射面の実質的に平坦な第１の部分に連結され、前記第１の部分は、前記中央平面に実質的に垂直に延び、各第１の部分の外縁は、前記反射面の実質的に平坦な第２の部分に連結され、前記第２の部分は、前記中央平面に対して第１の角度をなして延び、各第２の部分の外縁は、前記反射面の実質的に平坦な第３の部分に連結され、前記第３の部分は、前記中央平面に対して第２の角度をなして延び、前記第２の角度は、前記第１の角度よりも大きく、各第３の部分の外縁は、前記反射面の実質的に平坦な第４の部分に連結され、前記第４の部分は、前記中央平面に対して第３の角度をなして延び、前記第３の角度は、前記第１の角度よりも小さく、前記中央平面の一方の側に位置する前記反射面の前記第２の部分及び前記第４の部分は、前記細長い光源の前記外観を前記中央平面の他方の側に位置する領域に反射し、前記細長い光源の前記外観は、前記領域において３本の互いに平行な明るいストライプとして見えるようになっている、照明器具。
【請求項２】
前記第２の角度は、８０°〜１００°である、請求項１記載の照明器具。
【請求項３】
前記第１の角度は、２０°未満である、請求項１又は２記載の照明器具。
【請求項４】
前記第３の角度は、３５°未満である、請求項１〜３のいずれか１項に記載の照明器具。
【請求項５】
前記反射面の前記第２の部分の形は、凹状である、請求項１〜４のいずれか１項に記載の照明器具。
【請求項６】
前記反射面の前記第４の部分の形は、凹状である、請求項１〜５のいずれか１項に記載の照明器具。
【請求項７】
前記反射面は、好ましくは前記細長い光源の前記軸線とその前側との間の中間に位置する中心軸線回りに同軸である中央部分を有する、請求項１〜６のいずれか１項に記載の照明器具。
【請求項８】
前記反射面の２つの前記第１の部分の平面は、好ましくは前記細長い光源の後側と前記軸線との間で前記光源の前記後側の近くに位置する場所で前記中央平面と垂直に交差している、請求項１〜７のいずれか１項に記載の照明器具。
【発明の詳細な説明】
【技術分野】
【０００１】
本発明は、円筒形の細長い光源の外観を反射するリフレクタを有する照明器具であって、リフレクタの反射面が、細長い光源の軸線を通る中央平面の両側で対称に延び、細長い光源の外観が、照明器具の前側で直接且つ反射面を通して見えるようになった照明器具に関する。
【背景技術】
【０００２】
このような照明器具は、日本国特許第３１６９０９８号明細書に開示されており、照明器具を例えば自動車組立てラインに沿って設置することができ、その目的は、組立て作業の際、自動車の車体部品の表面品質及び位置合わせを検査することにある。円筒形の細長い光源、例えばＴＬランプが、照明器具の前に位置する或る特定の領域で数回見える。照明器具をこの領域から観察した場合、光源は、多数本の互いに平行な明るい光の真っ直ぐなストライプとして見え、比較的暗い領域が、真っ直ぐなストライプ相互間に存在する。自動車の車体部品の表面は、ストライプを反射し、反射光が人の目に見える。特に、自動車が照明器具及び（又は）人の目による観察位置に対して動くと、自動車の車体部品の表面の平滑さの偏差又は位置合わせ不良が見える。
【先行技術文献】
【特許文献】
【０００３】
【特許文献１】日本国特許第３１６９０９８号明細書
【発明の概要】
【発明が解決しようとする課題】
【０００４】
日本国特許第３１６９０９８号明細書に記載された照明器具では、光源の近く且つ後ろに位置するリフレクタの相当な部分は、照明器具を照明器具の前に位置する場所から観察した場合に、光源の外観と隣接のリフレクタ部分とのコントラストを向上させるために非反射性に作られている。しかしながら、光線の相当な部分の吸収の結果として、照明強度の相当な減少が生じる。それ故、光源の近く且つ後ろに位置するこのような非反射性部分は、照明器具がその前に位置する領域を照明するためにも用いられる場合には回避されるべきである。
【０００５】
明るいストライプは、適切な検査を実行するのに３本で十分であるが、明るいストライプが４本以上存在するのが良い。さらに、明るいストライプが照明器具の前に位置する比較的広い領域中の任意の場所で見えれば有利である。照明器具は又、自動車組立てライン又は比較的広い領域を照明する必要があり、即ち、明るいストライプが見える領域よりも非常に広い領域を照明する必要のある検査対象の任意他の作業状態の照明を行うことができる。
【０００６】
本発明の目的は、照明器具であって、細長い光源の外観が、直接、しかも反射光により照明器具の前側で見え、少なくとも３本の明るいストライプが照明器具の前に位置する或る特定の領域で見え、この或る特定の領域が比較的広いような照明器具を提供することにある。
【０００７】
本発明の別の目的は、照明器具であって、細長い光源の外観が、直接、しかも反射光により照明器具の前側で見え、少なくとも３本の明るいストライプが照明器具の前に位置する或る特定の領域で見え、この或る特定の領域が照明器具の中央平面から所与の距離を置いたところに位置するような照明器具を提供することにある。
【０００８】
本発明の別の目的は、照明器具であって、細長い光源の外観が、直接、しかも反射光により照明器具の前側で見え、少なくとも３本の明るいストライプが照明器具の前に位置する或る特定の領域で見え、照明器具が、照明器具の前に位置する比較的広い別の領域を更に照明するようになった照明器具を提供することにある。
【０００９】
本発明の更に別の目的は、照明器具であって、細長い光源の外観が、直接、しかも反射光により照明器具の前側で見え、少なくとも３本の明るいストライプが照明器具の前に位置する或る特定の領域で見え、リフレクタの反射面が光源の後ろで且つ光源の両側で延びる照明器具を提供することにある。
【課題を解決するための手段】
【００１０】
これらの目的のうちの１つ又は２つ以上を達成するため、反射面の形状は、細長い光源の後ろに部分的に位置する実質的に円筒形の湾曲した凹状中央部分を有し、中央部分の各縁は、反射面の実質的に平坦な第１の部分に連結され、第１の部分は、中央平面に実質的に垂直に延び、各第１の部分の外縁は、反射面の実質的に平坦な第２の部分に連結され、第２の部分は、中央平面に対して第１の角度をなして延び、各第２の部分の外縁は、反射面の実質的に平坦な第３の部分に連結され、第３の部分は、中央平面に対して第２の角度をなして延び、第２の角度は、第１の角度よりも大きく、各第３の部分の外縁は、反射面の実質的に平坦な第４の部分に連結され、第４の部分は、中央平面に対して第３の角度をなして延び、第３の角度は、第１の角度よりも小さく、中央平面の一方の側に位置する反射面の第２の部分及び第４の部分は、細長い光源の外観を中央平面の他方の側に位置する領域に反射し、細長い光源の外観は、この領域において３本の互いに平行な明るいストライプとして見えるようになっている。第２の角度は、好ましくは８０°〜１００°であると共に（或いは）第１の角度は、２０°未満であり、第３の角度は、３５°未満である。
【００１１】
「実質的に平坦な表面」という表現は、表面が平坦であり又は比較的大きな半径で湾曲していることを意味するものと理解されたい。表面が中央平面に対してなす角度は、表面が湾曲している場合、平均の角度である。
【００１２】
明るいストライプが見える２つの領域は、照明器具の前に位置しており、即ち、中央平面の各側にこのような領域が１つずつ存在する。これら領域は、照明器具の中央平面から相当な距離を置いたところに位置する。明るいストライプが見える２つの領域は、比較的広く、これら２つの領域は、広い検査区域をカバーする。照明器具は、これら２つの領域相互間の区域を通常の仕方で照明し、他方、光源の外観は、照明器具の前では明るいストライプの規則的且つ等間隔のパターンでは見えない。
【００１３】
反射面の中央部分、即ち、光源の近くの部分の形状が実質的に凹状なので、この部分による光線の反射光は、これが光源の外観に影響を及ぼさないような仕方で差し向けられ、その結果、直接見える光源の縁が、明るいストライプを包囲している暗い領域と明確なコントラストをなすようになっている。
【００１４】
反射面は、当然のことながら、実質的に平坦な部分を有し、したがって、４本以上のストライプが、照明器具の前の領域で見えるようになっている。
【００１５】
好ましい実施形態では、反射面の実質的に平坦な第２の部分及び（又は）第４の部分は、凹状に湾曲した形をしており、特に、大きな半径の曲線を呈し、したがって、この反射面は、完全に平坦な形状から僅かにずれているに過ぎない。このような形状により、照明器具からの光線の配光度が増大すると共にその照明効果が向上する。照明器具の前で見える関連の明るいストライプの幅は、僅かに拡大される。このような拡大は、全くの欠点であるというわけではなく、反射のために光源の関連の外観までの距離が僅かに長くなるという事実によって補償される。
【００１６】
好ましい実施形態では、反射面は、好ましくは細長い光源の軸線とその前側との間の中間、即ち、光源の軸線から円筒形の光源の直径の１／４の距離を置いたところに位置する中心軸線回りに同軸である中央部分を有する。この結果、反射面の中央部分により反射された光線の相当な部分の方向は、光源によって照明器具の前の照明されるべき領域の方へ変えられる。
【００１７】
反射面の２つの第１の部分の平面は、好ましくは細長い光源の後側と軸線との間で光源の後側の近くに位置する場所で中央平面と垂直に交差している。この結果、これら２つの部分は、光源の光線を照明器具の前に位置する領域に反射し、それにより、適当な照明効果が得られる。
【図面の簡単な説明】
【００１８】
【図１】照明器具の斜視図である。
【図２】照明器具の断面図である。
【図３】照明器具のリフレクタの断面図である。
【図４Ａ】照明器具により作られた明るいストライプを示す図である。
【図４Ｂ】照明器具により作られた明るいストライプを示す図である。
【図４Ｃ】照明器具により作られた明るいストライプを示す図である。
【図４Ｄ】照明器具により作られた明るいストライプを示す図である。
【発明を実施するための形態】
【００１９】
次に、添付の図面を参照して円筒形の細長い光源の外観を反射するリフレクタを有する照明器具の実施形態を説明することによって本発明の内容を明らかにする。
【００２０】
図１は、壁又は天井等に固定可能な基部１を有する照明器具全体の斜視図である。基部１は、直管状ランプ３を保持する手段２を有し、この手段２は、照明器具の両端のところに設けられている。さらに、リフレクタ４が、基部１に取り付けられ、このリフレクタ４は、反射性の内面５を有している。リフレクタの内面５全体は、ランプ３の長手方向軸線に平行に延びている。
【００２１】
図２は、ランプ３（図２には示されていない）の長手方向軸線６に垂直な照明器具の断面図である。基部１は、電力をランプ３に供給する手段を収納している。基部１及びリフレクタ４は、照明器具の中央平面７に関して対称な形状を有している。
【００２２】
リフレクタ４は、ねじ８によって基部１に取り付けられている。リフレクタ４は、円筒形に湾曲した中央部分９を有し、この中央部分は、一部がランプ３の後ろに位置している。中央部分９の各縁１０，１１は、リフレクタ４の平坦な第１の部分１２，１３に連結され、この第１の部分１２，１３は、中央平面７に垂直に延びている。各第１の部分１２，１３の外縁１４，１５は、リフレクタ４の湾曲した第２の部分１６，１７に連結されている。２つの第２の部分１６，１７は、リフレクタ４のこれら部分１６，１７が実質的に平坦であると見なすことができるように比較的大きな半径を持って湾曲している。リフレクタ４の各第２の部分１６，１７の外縁１８，１９は、中央平面７に垂直に延びているリフレクタ４の平坦な第３の部分２０，２１に連結されている。各第３の部分２０，２１の外縁２２，２３は、リフレクタ４の湾曲した第４の部分２４，２５に連結されている。
【００２３】
図３は、リフレクタ４に対するランプ３の位置を示すリフレクタ４の断面図である。ランプ３の長手方向軸線２６は、リフレクタ４の平坦部分１２，１３の平面２７の前に位置しており、この平面２７は、参照符号２８で示された場所で、即ち、ランプ３の後側２９とランプ３の軸線２６との間で中央平面７と交差している。ランプ３の大部分が平面２７の前に位置しているので、リフレクタ４の第１の平坦部分１２，１３は、ランプ３の光線の相当な部分を照明器具の前に位置する領域に反射するであろう。
【００２４】
リフレクタ４の中央部分９は、ランプ３の軸線２６とランプ３の前側３１との間の中間で中央軸線３０回りに円筒形に湾曲している。
【００２５】
リフレクタ４の反射面５は、照明器具の前に位置する領域の照明を行い、この領域は、中央平面７の両側で延びている。さらに、湾曲部分１６，１７，２４，２５は、ランプ３の外観を照明器具の前に位置する或る特定の領域に向かって反射する。中央平面７の左側（図３に示されている）の湾曲部分１６，２４は、ランプ３の外観を中央平面７の右側で照明器具の前に位置する領域に反射し、中央平面７の右側の湾曲部分１７，２５は、ランプ３の外観を中央平面７の左側で照明器具の前に位置する領域に反射する。
【００２６】
ランプ３の外観の反射光は、図４Ａ、図４Ｂ、図４Ｃ及び図４Ｄに概略的に示されている。これらの図は各々、中央平面７の右側の別の位置から見た反射光を示している。中央平面７への観察角３２は、この位置に相当している。図中の黒く塗ったストライプは、明るいストライプを表しており、これら明るいストライプは、明るいストライプが見える領域、即ち、中央平面７に対して指示した角度３２で見た領域内の或る特定の位置のところで照明器具の前に見える。明るいストライプのうちの１本は、反射無しのランプ３の外観であり、他の２本の明るいストライプは、リフレクタ４によって反射された外観である。
【００２７】
リフレクタ４の第４の部分２４（図４Ｂ参照）の平均方向と中央平面７の方向のなす角度は、リフレクタ４の第２の部分１６の平均方向と中央平面７の方向のなす角度よりも小さい。それ故、湾曲部分１６，２４がランプ３の外観を反射する方向は、ほぼ同じである（角度３２）。
【００２８】
上述の照明器具は、照明器具の前に位置する或る特定の領域の適当な照明並びに中央平面７の両側で、中央平面７から相当な距離を置いたところに位置する或る特定の領域に向かう直管状ランプの外観の反射を可能にする。
【００２９】
上述した実施形態としての照明器具は、本発明の照明器具の一例に過ぎず、他の多くの実施形態が可能である。
【００３０】
一般的に、図１及び図２を参照して、本発明の照明器具を次のように説明できる。
【００３１】
照明器具は、細長い電気光源を保持した接触手段２を有し、この接触手段は、長手方向ランプ軸線６と一致したリフレクタ軸線４０（図２）を定める。照明器具は、光放出窓４２を画定するリフレクタ縁４１及び細長い光源からの光を反射してこの光源の少なくとも１つの反射像を形成するための反射面を備えた細長い（凹状の）リフレクタ４を更に有している。反射面は、２つの（一体の）半部４ａ，４ｂを有し、これら半部は、上述のリフレクタ軸線に平行に延びると共にこのリフレクタ軸線を通る中央平面７の両側で鏡像関係をなす部品として延びている。光源並びに少なくとも１つの反射像は、光放出窓を通して見える。
【００３２】
反射面の各半部は、実質的に円筒形の湾曲した凹状中央部分９、交互に位置する実質的に平坦な部分１２，１３，２０，２１と部分１６，１７，２４，２５を有し、これら部分のうちの互いに隣り合う部分は、それぞれの縁１４，１５，１８，１９，２２，２３により互いに連結されている。全ての部分は、リフレクタ軸線に沿って延びている。
【００３３】
中央部分（少なくとも一部）は、光放出窓から遠ざかる方向に向いた細長い光源の側のところに位置し、縁１０，１１を介してそれぞれ第１の部分１２，１３に連結されている。
【００３４】
奇数の参照符号で示された各部分は、それぞれ中央平面に対して比較的大きな角度をなして延び、偶数の参照符号で示された各部分は、それぞれ中央平面に対して比較的小さな角度をなして延びており、このような小さな角度は、上述の大きな角度よりも小さく、（ｎ＋２）番目の偶数符号部分の小さな角度は、ｎ番目の偶数符号部分のそれぞれの小さな角度よりも小さく、ｎは、２、４又は６である。
【００３５】
中央平面の一方の側のところでの光源からの光の反射時、偶数の参照符号により示された部分は、光源に関する中央平面の他方の側のところに、複数本の互いに平行な明るいストライプとして見えるそれぞれの反射像を作る。
【符号の説明】
【００３６】
１  照明器具の基部
２  ランプを保持する手段
３  ランプ
４  リフレクタ
５  リフレクタの内面
６  ランプ３の長手方向軸線
７  照明器具の中央平面
８  ねじ
９  リフレクタ４の中央部分
１０  中央部分９の縁
１１  中央部分９の縁
１２  リフレクタ４の平坦部分
１３  リフレクタ４の平坦部分
１４  部分１２の縁
１５  部分１３の縁
１６  リフレクタ４の湾曲部分
１７  リフレクタ４の湾曲部分
１８  部分１６の縁
１９  部分１７の縁
２０  リフレクタ４の平坦部分
２１  リフレクタ４の平坦部分
２２  部分２０の縁
２３  部分２１の縁
２４  リフレクタ４の湾曲部分
２５  リフレクタ４の湾曲部分
２６  ランプ３の軸線
２７  部分１２，１３の平面
２８  平面２７が中央平面７と交差する場所
２９  ランプ３の後側
３０  リフレクタ４の部分９の円筒形の軸線
３１  ランプ３の前側
３２  中央平面７と観察方向のなす角度
４０  接触手段
４１  リフレクタ縁
４２  光放出窓
４ａ，４ｂ  リフレクタ半部
【図１】
2010509724.tif 000003
【図２】
2010509724.tif 000004
【図３】
2010509724.tif 000005
【図４Ａ】
2010509724.tif 000006
【図４Ｂ】
2010509724.tif 000007
【図４Ｃ】
2010509724.tif 000008
【図４Ｄ】
2010509724.tif 000009
【国際調査報告】
2010509724.tif 000010
2010509724.tif 000011
2010509724.tif 000012